(57)【特許請求の範囲】
【請求項１】
電線の端末が接続される電線接続部と、相手端子との接触部とからなる端子と、この端子が内部に収容されると共に、前記接触部が外方に突設されるベースハウジングとからなり、
前記ベースハウジングが本体と、この本体の一側に多段に設けられて前記端子の電線接続部が収容される電線収容溝と、この電線収容溝の最上段側及び最下段側の電線収容溝を閉鎖すると共に、この閉鎖位置から前記本体の他側まで回動自在に支持された一対のカバーとで形成されたコネクタであって、
前記一対のカバーを前記本体の他側にそれぞれ位置させてバンド部で連結し、前記本体から突出した端子の接触部を前記一対のカバーと前記バンド部とで囲むことを特徴とするコネクタ。
【請求項２】
請求項１記載の発明であって、前記ベースハウジングが挿入されると共に、前記接触部が囲まれるハウジングケースを有することを特徴とするコネクタ。
【請求項３】
請求項２記載の発明であって、前記ハウジングケースが前記本体を収容する収容筒部と、前記本体の他側に本体内から突出した接触部を囲むフード部とで形成されていることを特徴とするコネクタ。
【請求項４】
電線の端末が接続される電線接続部と、相手端子との接触部とからなる端子と、この端子が内部に収容されると共に、前記接触部が外方に突設されて多段に重ねられる複数のベースハウジングとからなり、前記ベースハウジングが本体と、この本体の一側に設けられて前記端子の電線接続部が収容される電線収容溝と、この電線収容溝を閉鎖すると共に、この閉鎖位置から本体の他側まで回動自在に支持されたカバーとで形成されたコネクタであって、前記本体の他側に回動させたカバーと、前記本体の他側から延設された保護壁と、この保護壁と前記カバーとを連結するバンド部とで前記本体から突出した前記接触部を囲むことを特徴とするコネクタ。
【請求項５】
請求項４記載の発明であって、前記ベースハウジングが２段に重ねられ、前記バンド部を切除してカバーで電線収容溝を閉鎖した状態で前記２つのベースハウジング同士を前記電線収容溝同士が向き合うように重ねて、一方のベースハウジングの保護壁と他のベースハウジングの保護壁とを重ねたことを特徴とするコネクタ。
【請求項６】
請求項５記載の発明であって、前記２つのベースハウジングの一方の保護壁に筒状部を一体に設け、他方のベースハウジングの保護壁と重ねた状態で、前記筒状部と２つの保護壁とでフード部を形成することを特徴とするコネクタ。
【請求項７】
請求項１乃至請求項６のいずれか一項に記載の発明であって、前記端子の電線接続部が、圧接刃を有する圧接部を備え、前記端子が前記本体の電線収容溝内に収容された状態で前記電線の端末が前記圧接刃間に圧入されることを特徴とするコネクタ。
【請求項８】
請求項３に記載のコネクタの組付方法であって、前記ベースハウジングの一対のカバーを前記本体の他側に位置させ、バンド部で連結して前記電線収容溝を開口した状態から、前記端子の接触部を本体の他側から突出させて電線接続部を電線収容溝内に挿入し前記端子を前記ベースハウジング内に収容した後に、前記バンド部を切除して一対のカバーを本体の一側に回動し前記電線収容溝を閉鎖し、この状態のベースハウジングを前記ハウジングケース内に挿入することで前記接触部が前記フード部に囲まれ、前記収容筒部内に前記本体が収容されることを特徴とするコネクタの組付方法。
【請求項９】
請求項４乃至請求項６記載のコネクタの組付方法であって、前記各ベースハウジングのカバーを本体の他側にそれぞれ位置させてバンド部でそれぞれ保護壁に連結し前記電線収容溝を開口した状態から、前記端子の接触部を本体の他側から突出させて電線接続部を電線収容溝内にそれぞれ挿入し前記端子を前記ベースハウジング内にそれぞれ収容し、この状態で各ベースハウジングを取り回した後に、バンド部を切除してカバーを本体の一側へ回動させて電線収容溝を閉鎖し、この状態のベースハウジング同士を重ねて保護壁同士を重ねることを特徴とするコネクタの組付方法。
【請求項１０】
請求項８又は請求項９に記載の発明であって、前記端子の電線接続部が、圧接刃を有する圧接部を備え、前記端子が本体に収容され前記電線接続部が前記電線収容溝内に収容された状態で電線の端末が前記圧接刃間に圧入されることを特徴とするコネクタの組付方法。
【発明の詳細な説明】
【０００１】
【発明の属する技術分野】
本発明は、端子の接触部がハウジングから外方に突設されるコネクタ及びこのコネクタの組付方法に関する。
【０００２】
【従来の技術】
図９は、実開昭４８−５７８号公報、実開平２−１１５２５２号公報等に記載のものと類似のコネクタ１を示す。このコネクタ１は、複数の端子収容室２が内部に形成されたハウジング３と、このハウジング３の一側に後付で一体に固定される別体のフード部４とからなる。ハウジング３の端子収容室２内には、端子５の電線接続部がそれぞれ収容され、相手端子との接触部６は、ハウジング３の外方に突設されている。そして、フード部４をハウジング３の一側に取り付けることにより、フード部４内に端子５の接触部６が突設されて保護されるようになっている。
【０００３】
【発明が解決しようとする課題】
ところが、ワイヤーハーネスを製造する工程において、ハウジング３は、ワイヤーハーネスの端末部分に連結されており、この状態でワイヤーハーネスを配索、取り回す際に、ハウジング３から露出している端子５の接触部６に外力が加わって変形するおそれがある。この結果、相手コネクタとの嵌合時に正規な嵌合ができなくなるという問題がある。
【０００４】
そこで、本発明は、端子の接触部がハウジングから露出する構造のコネクタにおいて、端子を保護することができるコネクタ及びこのコネクタの組付方法の提供を目的とする。
【０００５】
【課題を解決するための手段】
上記目的を達成するため、請求項１の発明は、電線の端末が接続される電線接続部と、相手端子との接触部とからなる端子と、この端子が内部に収容されると共に、前記接触部が外方に突設されるベースハウジングとからなり、ベースハウジングが本体と、この本体の一側に多段に設けられて端子の電線接続部が収容される電線収容溝と、この電線収容溝の最上段側及び最下段側の電線収容溝を閉鎖すると共に、この閉鎖位置から本体の他側まで回動自在に支持された一対のカバーとで形成されたコネクタであって、一対のカバーを本体の他側にそれぞれ位置させてバンド部で連結し、本体から突出した端子の接触部を一対のカバーとバンド部とで囲むことを特徴としている。
【０００６】
このコネクタでは、端子の接触部が外方に突出した状態のベースハウジングが例えばケース等に挿入されるまで、一対のカバーと、これらのカバーを連結するバンド部とで接触部を囲むので、ワイヤーハーネスの取り回し時におけるハウジングの取り扱い時に端子を保護することができる。
【０００７】
請求項２の発明は、請求項１記載の発明であって、前記ベースハウジングが挿入されると共に、前記接触部が囲まれるハウジングケースを有することを特徴としている。
【０００８】
このコネクタでは、端子の接触部が外方に突出した状態のベースハウジングがハウジングケース内に挿入されるまで、接触部が一対のカバーとこれらのカバーを連結するバンド部とで囲まれる。
【０００９】
請求項３の発明は、請求項２記載の発明であって、前記ハウジングケースが前記本体を収容する収容筒部と、前記本体の他側に本体内から突出した接触部を囲むフード部とで形成されていることを特徴としている。
【００１０】
このコネクタでは、ベースハウジングは、本体が収容筒部に収容され、本体から突出した接触部がフード部に囲まれ、保護される。この場合、ベースハウジングは、バンド部が切除されて、一対のカバーで電線収容溝を閉鎖する。この状態では、本体から端子の接触部が突出している。
【００１１】
請求項４の発明は、電線の端末が接続される電線接続部と、相手端子との接触部とからなる端子と、この端子が内部に収容されると共に、前記接触部が外方に突設されて多段に重ねられる複数のベースハウジングとからなり、前記ベースハウジングが本体と、この本体の一側に設けられて前記端子の電線接続部が収容される電線収容溝と、この電線収容溝を閉鎖すると共に、この閉鎖位置から本体の他側まで回動自在に支持されたカバーとで形成されたコネクタであって、前記本体の他側に回動させたカバーと、前記本体の他側から延設された保護壁と、この保護壁と前記カバーとを連結するバンド部とで前記本体から突出した前記接触部を囲むことを特徴としている。
【００１２】
このコネクタでは、ベースハウジングの本体から突出した接触部は、カバーと保護壁とバンド部とで囲まれるので、ワイヤーハーネスの取り回し時のハウジングの取り扱い時に端子を保護することができる。
【００１３】
請求項５の発明は、請求項４記載の発明であって、前記ベースハウジングが２段に重ねられ、前記バンド部を切除してカバーで電線収容溝を閉鎖した状態で前記２つのベースハウジング同士を前記電線収容溝同士が向き合うように重ねて、一方のベースハウジングの保護壁と他のベースハウジングの保護壁とを重ねたことを特徴としている。
【００１４】
このコネクタでは、端子を収容した状態の電線収容溝をバンド部を切除してカバーで閉鎖し、２つのベースハウジング同士を合わせて、保護壁同士を重ねる。この状態では、端子の接触部は重なった保護壁により囲まれて保護される。
【００１５】
請求項６の発明は、請求項５記載の発明であって、前記２つのベースハウジングの一方の保護壁に筒状部を一体に設け、他方のベースハウジングの保護壁と重ねた状態で、前記筒状部と２つの保護壁とでフード部を形成することを特徴としている。
【００１６】
このコネクタでは、端子を収容した状態の電線収容溝をバンド部を切除してカバーで閉鎖し、２つのベースハウジング同士を合わせて保護壁同士を重ね、フード部を形成する。この状態では、端子の接触部はフード部により囲まれて保護される。
【００１７】
請求項７の発明は、請求項１乃至請求項６のいずれか一項に記載の発明であって、前記端子の電線接続部が、圧接刃を有する圧接部を備え、前記端子が前記本体の電線収容溝内に収容された状態で前記電線の端末が前記圧接刃間に圧入されることを特徴としている。
【００１８】
このコネクタでは、電線端末を圧接部に圧入することにより電線端末に端子が接続される。この端子の圧接部は、ベースハウジングの端子収容溝内に収容されており、相手端子との接触部はベースハウジングの外方に突出している。
【００１９】
請求項８の発明は、請求項３に記載のコネクタの組付方法であって、前記ベースハウジングの一対のカバーを前記本体の他側に位置させ、バンド部で連結して前記電線収容溝を開口した状態から、前記端子の接触部を本体の他側から突出させて電線接続部を電線収容溝内に挿入し前記端子を前記ベースハウジング内に収容した後に、前記バンド部を切除して一対のカバーを本体の一側に回動し前記電線収容溝を閉鎖し、この状態のベースハウジングを前記ハウジングケース内に挿入することで前記接触部が前記フード部に囲まれ、前記収容筒部内に前記本体が収容されることを特徴としている。
【００２０】
このコネクタの組付方法では、接触部が外方に突出した状態のベースハウジングがハウジングケースに挿入されるまでの間は、一対のカバーとバンド部とで接触部が囲まれるため、ベースハウジングの取り扱い時に接触部を保護することができる。
【００２１】
請求項９の発明は、請求項４乃至請求項６記載のコネクタの組付方法であって、前記各ベースハウジングのカバーを本体の他側にそれぞれ位置させてバンド部でそれぞれ側壁に連結し前記電線収容溝を開口した状態から、前記端子の接触部を本体の他側から突出させて電線接続部を電線収容溝内にそれぞれ挿入し前記端子を前記ベースハウジング内にそれぞれ収容し、この状態で各ベースハウジングを取り回し、バンド部を切除してカバーを本体の一側へ回動させて電線収容溝を閉鎖し、この状態のベースハウジング同士を重ねて保護壁同士を重ねることを特徴としている。
【００２２】
このコネクタの組付方法では、本体から突出した接触部がカバーと保護壁とバンド部により囲まれる。この状態で取り回しても（例えば、ワイヤーハーネスを製造する工程において）、不用意に外力が接触部に加わることがなく保護される。次に、バンド部を切除してカバーにより電線収容溝を閉鎖した場合には、２つのベースハウジング同士を重ね、保護壁同士を重ねることにより、接触部がこれらの保護壁により囲まれる。この状態で取り回しても（ワイヤーハーネスを出荷する場合）接触部に不用意に外力が加わることがなく保護される。
【００２３】
請求項１０の発明は、請求項８又は請求項９に記載の発明であって、前記端子の電線接続部が、圧接刃を有する圧接部を備え、前記端子が本体に収容され前記電線接続部が前記電線収容溝内に収容された状態で電線の端末が前記圧接刃間に圧入されることを特徴としている。
【００２４】
このコネクタの組付方法では、電線端末を圧接部内に圧入することにより電線端末に端子が接続される。このときには、カバーと保護壁とバンド部とで接触部は囲まれて保護されている。
【００２５】
【発明の実施の形態】
以下、本発明に係るコネクタ及びこのコネクタの組付方法の実施形態について説明する。
【００２６】
第１実施形態
図１はコネクタ１０のベースハウジング１２を示し、（ａ）は一対のカバー２１、２１とバンド部２７とで端子１１の接触部１７を囲んだ状態を示し、（ｂ）はカバーで電線収容溝２０を閉鎖した状態を示す。また、図２はコネクタ１０の全体形状を示し、図３及び図４はコネクタ１０の内部を示す。
【００２７】
図１乃至図４に示すように、コネクタ１０は、端子１１と、この端子１１が内部に収容されるベースハウジング１２と、ベースハウジング１２が挿入されるハウジングケース１３とからなる。端子１１は、一側に電線１４の端末が接続される電線接続部１６（図３及び図４参照）が形成され、他側に相手端子との接触部１７が形成されている。この実施形態の端子１１は、電線接続部１６が、一対の圧接刃（不図示）を有する圧接部からなり、被覆電線の端末部分を圧接刃間に圧入することで電線１４と端子１１とが接続される。この電線接続部（以下「圧接部」という）１６は、ベースハウジング１２の電線収容溝２０内に収容される。
【００２８】
ベースハウジング１２は、図１（ａ）、（ｂ）に示すように、本体１９と、この本体１９の一側に多段に設けられて端子１１の圧接部１６が収容される電線収容溝２０、２０と、これらの電線収容溝２０、２０の上段側及び下段側の電線収容溝２０、２０を閉鎖すると共に、この閉鎖位置から本体１９の他側まで回動自在にヒンジ２８を介して支持された一対のカバー２１と形成されている。
【００２９】
また、一対のカバー２１には、それぞれ係止孔２２を構成する係止枠部２３が先端部両側にそれぞれ形成されおり、本体１９の電線収容溝２０の両側には、係止突起２４がそれぞれ突設されている。そして、図１（ｂ）に示すように、電線収容溝２０をカバー２１が閉鎖した状態では、係止突起２４が係止孔２２内に係止される。また、この状態では、端子１１の接触部１７はベースハウジング１２の外方向（電線収容溝２０の反対側）に突設されている。そして、端子１１を内部に収容した状態のベースハウジング１２は、ハウジングケース１３内に挿入される。
【００３０】
ハウジングケース１３は、図３及び図４に示すように、本体１９を収容する収容筒部２５と、本体１９の他側に本体１９内から突出した接触部１７を囲むフード部２６とで形成されている。
【００３１】
また、ベースハウジング１２は、ハウジングケース１３内に挿入される前には、図１（ａ）に示すように、一対のカバー２１、２１が本体１９の他側（電線収容溝２０の反対側）に位置すると共に、バンド部２７で連結されている。この場合、バンド部２７は、容易に切断可能な厚さにベースハウジング１２と一体に成形しても良く、別体のバンド部を用いても良い。そして、ベースハウジング１２をハウジングケース１３内に挿入する際には、バンド部２７を切除して、一対のカバー２１、２１を、図１（ｂ）に示すように、電線収容溝２０側に位置させる。
【００３２】
また、いずれの場合でも、このような形態にしておくのは、端子１１を本体１９内に収容した状態で、ハウジングケース１３内に挿入されるまでの間である。以下、コネクタ１０の組付方法について説明する。
【００３３】
ベースハウジング１２は、バンド部２７が一体に成形された状態では、図１（ａ）に示すように一対のカバー２１、２１がバンド部２７により他側（電線収容溝２０の反対側）で連結されている。この状態から端子１１を電線収容溝２０側からベースハウジング１２内に挿入し、接触部１７を一対のカバー２１、２１とバンド部２７で囲まれる内部に突出させる。
【００３４】
次に被覆電線１４の端末部分を圧接部１６上に載置し圧入治具により圧接する。これにより、電線の端末にベースハウジング１２が連結される。この状態からワイヤーハーネスの製造工程中でベースハウジング１２が取り扱われ、最終的にハウジングケース１３内にベースハウジング１２を挿入する。このとき、バンド部２７を切除して一対のカバー２１、２１で電線収容溝２０を閉鎖する。そして、端子１１の接触部１７をハウジングケース１３のフード部２６内に収容し、本体１９を収容筒部２５内に収容する。
【００３５】
この実施形態のコネクタでは、ベースハウジング１２をハウジングケース１３内に挿入するまでの間、一対のカバー２１、２１とバンド部２７とで、ベースハウジング１２の外方に突出した端子１１の接触部１７を保護することができるので、ベースハウジング１２の取り扱い中、すなわちワイヤーハーネスの製造工程中において端子１１の接触部１７に外力が付与されることはなく、確実に保護することができる。この結果、相手端子との正規な嵌合を行うことができる。
【００３６】
なお、本実施形態では、電線接続部１６として圧接刃を有する圧接部を備えた端子１１の例を示したが、他の形態で電線端末と接続される端子にも本発明を適用することができる。
【００３７】
第２実施形態
次に図５乃至図７に示す第２実施形態のコネクタ３０について説明する。なお、図５は、コネクタ３０を分解した斜視図であり、図６は断面図である。また、図７はコネクタ３０の組付完成した状態を示す。
【００３８】
本実施形態のコネクタ３０は、電線の端末が接続される電線接続部１６と、相手端子との接触部１７とからなる端子１１と、この端子１１が内部に収容されると共に、接触部１７が外方に突出されて２段に重ねられる２つのベースハウジング３１、３２とからなる。
【００３９】
ベースハウジング３１は、本体３３と、この本体３３の一側に設けられて端子１１の電線接続部１６が収容される電線収容溝３４と、この電線収容溝３４を閉鎖すると共に、この閉鎖位置から本体３３の他側まで回動自在に支持されたカバー３５とで形成されている。また、本実施形態では、本体３３の他側に回動させたカバー３５と、本体３３の他側から延設された保護壁３６と、この保護壁３６とカバー３５とを連結するバンド部３７とが一体に形成されている。カバー３５は、ヒンジ３８を介して本体３３に回動自在に一体に成形されており、成形した状態では本体３３の他側に位置してバンド部３７により保護壁３６と連結されている。なお、このカバー３５は、バンド部３７を切除して電線収容溝３４側へ回動させることにより、電線収容溝３４を閉鎖することができる。
【００４０】
保護壁３６は、本体３３の他側から延設されており、電線収容溝３４と同方向に向けて開口した断面Ｕ字状に形成されている。また、保護壁３６の両側壁３９、３９の端面には、係止孔４０、４０を形成する係止枠部４１、４１が突設されている。さらに、本体３３の電線収容溝３４側の後端部の両側には、係止突起４２、４２がそれぞれ突設されている。
【００４１】
このベースハウジング３１の上部に重ねられるベースハウジング３２は、基本的な構成はベースハウジング３１と同じで、本体３３、電線収容溝３４、カバー３５、保護壁３６を有している。またベースハウジング３２の保護壁３６の両側壁の端面には、ベースハウジング３１と重ねた時に、係止孔４０、４０に係合する係止突起４３、４３が設けられ、ベースハウジング３１の係止突起４２、４２が係合する係止孔４４、４４を形成する係止枠部４５、４５が突設されている。
【００４２】
さらに、ベースハウジング３１、３２を２段に重ねた状態では、保護壁３６、３６とが重なって矩形断面のフード部４６が形成される。このフード部４６内には、コネクタ３０と接続される図示しない相手コネクタが挿入・嵌合される。
【００４３】
以下、このコネクタ３０の組付方法について説明する。
【００４４】
ベースハウジング３１、３２は、バンド部３７、３７が一体に成形された状態では図６に示すように、カバー３５、３５がバンド部３７、３７により本体３３、３３の他側にそれぞれ回動されて、保護壁３６、３６にそれぞれ連結されている。この状態で各ベースハウジング３１、３２の電線収容溝３４、３４内に端子１１、１１を挿入し電線接続部１６、１６を収容すると共に、接触部１７、１７を本体３３、３３の他側、すなわち保護壁３６とカバー３５とがバンド部３７で連結されている空間内に突出させる。この状態から、各ベースハウジング３１、３２に収容された端子１１、１１の電線接続部１６、１６に電線の端末部分を圧入し電線端末に端子を接続する。
【００４５】
次に各ベースハウジング３１、３２のバンド部３７、３７を切除しカバー３５、３５を電線収容溝３４、３４側にそれぞれ回動させて電線収容溝３４、３４を閉鎖する。この状態から、図６に示すように、ベースハウジング３１、３２を、電線収容溝３４、３４が向き合うようにして係止突起４３、４３を係止孔４０、４０内に、係止孔４４、４４内に係止突起４２、４２を係合させて重ねる。これにより、図７に示すように、保護壁３６、３６同士が重なって筒状のフード部４６が構成される。これらの保護壁３６、３６により筒状に形成されたフード部４６に、ベースハウジング３１、３２の本体３３、３３からそれぞれ突出した端子１１、１１の接触部１７、１７が突出して囲まれるので確実に保護される。
【００４６】
本実施形態のコネクタ３０は、ベースハウジング３１、３２の本体３３、３３に端子１１、１１を収容した状態では、カバー３５と保護壁３６とバンド部３７とで接触部１７がそれぞれ囲まれるので、この状態で取り回されても（ワイヤーハーネスの製造工程の取り回し）接触部１７に外力が不用意に加わることがなく、確実に保護される。
【００４７】
また、各ベースハウジング３１、３２に収容された端子１１、１１を電線の端末に接続した状態では、ベースハウジング３１、３２同士を重ねることにより、保護壁３６、３６により接触部１７、１７が囲まれるので、この状態で取り回されても（出荷するための搬送作業中、あるいはワイヤーハーネスを車両に組み付ける場合の取り回し）接触部１７に不用意に外力が加わることがなく、確実に保護される。
【００４８】
また、この実施形態のコネクタでは、ベースハウジング３１、３２に保護壁３６、３６を形成し、ベースハウジング３１、３２を２段に重ねた状態では、保護壁３６、３６が重なってフード部４６を形成するので、従来のようにフード部が形成された別体のケースハウジング内にベースハウジング３１、３２を収容する必要がなくなりその分コネクタの外径を小型にすることができる。この結果、端子の高密度化を図ることが可能となる。
【００４９】
第３実施形態
次に図８に示す第３実施形態のコネクタ５０について説明する。このコネクタ５０は、２つのベースハウジング５１、５２のうちの一方の保護壁３６に筒状のフード部５３を予め一体形成しておく例であり、他の構成は上記ベースハウジング３１、３２と同じ構成である。
【００５０】
図８に示すように、下段側のベースハウジング５１は、上記ベースハウジング３１と同構成であるが、保護壁３６の延設長さが異なり、先端面には係止片５４、５４が突設されている。上段側のベースハウジング５２は、保護壁３６の端面側に矩形断面の筒状部５３が形成されている。この筒状部５３の保護壁３６側には、係止溝５５が形成されている。
【００５１】
そして、ベースハウジング５１、５２を２段に重ねた状態では、ベースハウジング５１の保護壁３６の先端側に、ベースハウジング５２の筒状部５３が連結され、この筒状部５３と保護壁３６、３６とでフード部が形成される。また、係止片５４が係止溝５５に係合すると共に、係止突起４２が係止孔４４内に係合される。
【００５２】
この実施形態のコネクタ５０では、端子１１をベースハウジング５１、５２内に収容した状態では、接触部１７が上記各実施形態と同様に、カバー３５と保護壁３６とバンド部３７とで囲まれて外力が不用意に加わることがなく確実に保護される。
【００５３】
また、端子１１を電線の端末に接続し電線収容溝３４をカバー３５で閉鎖した状態では、ベースハウジング５１、５２を重ねることにより、端子１１の接触部１７は保護壁３６、３６、筒状部５３で形成されるフード部内に接触部１７が突出するので、接触部１７を確実に保護することができる。
【００５４】
さらに、この実施形態では、一方のベースハウジング５２に予めフード部５３を一体に成形しておくことにより、２つのベースハウジング５１、５２をフード部が設けられたケースハウジング内に収容する必要がない。この結果、コネクタ５０の外径が大きくなることがないので、コネクタ５０を小型に形成することができ、その分より多くの端子を収容させることができるので、端子の高密度化を図ることが可能となる。
【００５５】
【発明の効果】
以上説明したように請求項１の発明によれば、端子の接触部が外方に突出した状態のベースハウジングが、ハウジングケース内に挿入されるまで、一対のカバーと、これらのカバーを連結するバンド部とで接触部を囲むので、ワイヤーハーネスの取り回し時におけるハウジングの取り扱い時に端子を保護することができる。
【００５６】
請求項２の発明によれば、ハウジングケース内にベースハウジングが挿入されるまで、一対のカバーと連結部により接触部が囲まれるので、ワイヤーハーネスの取り回し時におけるベースハウジングの取り扱い時に端子を保護することができる。
【００５７】
請求項３の発明によれば、ベースハウジングは、本体が収容筒部に収容され、本体から突出した接触部がフード部に囲まれ、保護される。
【００５８】
請求項４の発明によれば、ベースハウジングの本体から突出した接触部は、カバーと保護壁とバンド部とで囲まれるので、ワイヤーハーネスの取り回し時のハウジングの取り扱い時に端子を保護することができる。
【００５９】
請求項５の発明によれば、端子を収容した状態の電線収容溝をバンド部を切除してカバーで閉鎖し、２つのベースハウジング同士を合わせて、保護壁同士を重ねる。この状態では、端子の接触部は重なった保護壁により囲まれて保護される。
【００６０】
請求項６の発明によれば、端子を収容した状態の電線収容溝をバンド部を切除してカバーで閉鎖し、２つのベースハウジング同士を合わせて保護壁同士を重ね、
これらの保護壁と筒状部とでフード部を形成する。この状態では、端子の接触部はフード部により囲まれて保護される。
【００６１】
請求項７の発明によれば、電線端末を圧接部に圧入することにより電線端末に端子が接続される。この端子の圧接部は、ベースハウジングの端子収容溝内に収容されており、相手端子との接触部はベースハウジングの外方に突出して、保護壁とカバーとバンド部により保護されると共に、２つのベースハウジングを重ねた状態では、保護壁により保護される。
【００６２】
請求項８の発明によれば、接触部が外方に突出した状態のベースハウジングがハウジングケースに挿入されるまでの間は、一対のカバーとバンド部とで接触部が囲まれるため、ベースハウジングの取り扱い時に接触部を保護することができる。
【００６３】
請求項９の発明によれば、本体から突出した接触部がカバーと保護壁とバンド部により囲まれる。この状態で取り回しても（例えば、ワイヤーハーネスを製造する工程において）、不用意に外力が接触部に加わることがなく保護される。
【００６４】
次に、バンド部を切除してカバーにより電線収容溝を閉鎖した場合には、２つのベースハウジング同士を重ね、保護壁同士を重ねることにより、接触部がこれらの保護壁により囲まれる。この状態で取り回しても（ワイヤーハーネスを出荷する場合）接触部に不用意に外力が加わることがなく保護される。
【００６５】
請求項１０の発明によれば、電線端末を圧接部内に圧入することにより電線端末に端子が接続される。このときには、カバーと保護壁とバンド部とで接触部は囲まれて保護される。
【図面の簡単な説明】
【図１】本発明に係る第１実施形態のコネクタのベースハウジングを示し、（ａ）は一対のカバーをバンド部で連結した状態を示す斜視図、（ｂ）は一対のカバーで電線収容溝を閉鎖した状態を示す斜視図である。
【図２】第１実施形態のベースハウジングをハウジングケース内に挿入した状態を示す斜視図である。
【図３】第１実施形態の一対のカバーをバンド部で連結した状態を示す断面図である。
【図４】第１実施形態のベースハウジングをハウジングケース内に挿入した状態を示す断面図である。
【図５】本発明に係る第２実施形態のコネクタを示す分解斜視図である。
【図６】本発明に係る第２実施形態のコネクタを示す断面図である。
【図７】本発明に係る第２実施形態のコネクタを示す斜視図である。
【図８】本発明に係る第３実施形態のコネクタを示す斜視図である。
【図９】従来のコネクタを示す斜視図である。
【符号の説明】
１０、３０、５０  コネクタ
１１  端子
１２、３１、３２、５１、５２  ベースハウジング
１３  ハウジングケース
１４  電線
１６  電線接続部
１７  接触部
２１、２１  一対のカバー
２７、３７  バンド部
３６  保護壁
４６、５３  フード部
【図１】
0003761667.tif 000002
【図２】
0003761667.tif 000003
【図３】
0003761667.tif 000004
【図４】
0003761667.tif 000005
【図５】
0003761667.tif 000006
【図６】
0003761667.tif 000007
【図７】
0003761667.tif 000008
【図８】
0003761667.tif 000009
【図９】
0003761667.tif 000010